(57)【要約】【課題】二槽式の浴槽でありながらオーバーフローロが１つで済み、且つ汚物洗い用の槽の湯水が体洗い用の槽に流入することがない幼児用の浴槽を提供する。【解決手段】浴槽の内槽を仕切るように配置される仕切り壁と、該仕切り壁の一方側に配置される第一槽と、上記仕切り壁の他方側に配置される第二槽と、上記第一槽と第二槽とを連通する連通流路と、上記第二槽に、上記連通流路より下方側に配置されたオーバーフロー口とを備える【選択図】  図３
2009072533.tif 000002
【特許請求の範囲】
【請求項１】
浴槽の内槽を仕切るように配置される仕切り壁と、
該仕切り壁の一方側に配置される第一槽と、
上記仕切り壁の他方側に配置される第二槽と、
上記第一槽と第二槽とを連通する連通流路と、
上記第二槽に、上記連通流路より下方側に配置されたオーバーフロー口と、
を備えたことを特徴とする浴槽。
【請求項２】
前記連通流路は、前記仕切り壁に形成されていることを特徴とする請求項１記載の浴槽。
【請求項３】
前記オーバーフロー口は、前記仕切り壁に形成されていることを特徴とする請求項１記載の浴槽。
【発明の詳細な説明】
【技術分野】
【０００１】
本発明は、浴槽に係り、特に保育園等に設置される二槽式の幼児用浴槽に関する。
【背景技術】
【０００２】
保育園等には幼児用浴槽が設置されるが、この浴槽は通常二槽式とされる。そして、衛生上の観点から、これら二槽のうち一方の浴槽を幼児の体洗い及ぴ沐浴専用とし、もう一方の浴槽を汚物洗い専用として、分けて使用される場合が多い。
【０００３】
ところで、浴槽には、溜め水が溢れ出すことを防止するためオーバーフロー口が設けられるが、汚物洗い用の槽からオーバーフローした汚水が体洗い用の槽に浸入することを防ぐ必要から、従来それぞれ独立したオーバーフロー口が設けられていた。
【０００４】
しかしながら、二槽にそれぞれオーバーフロー口を設けると、オーバーフロー管等の部材も二重に必要となり部材費がアップするとともに、加工や組立ての工数も二重にかかってしまうという問題がある。
【０００５】
この問題を解決するものとして、図５〜７に示すように、二槽の浴槽１０１，１０２を仕切る仕切り壁１０３の上部の適当箇所に、凹部１０４を形成してその凹部１０４底面にオーバーフロー孔１０５を開孔し、該凹部１０４には、オーバーフロー孔１０５へ至るオーバーフロー水の通水部１０７，１０８を有する防護蓋１０６を被せてなる二槽式浴槽がある（例えば、特許文献１参照。）。
【０００６】
この二槽式浴槽によれば、オーバーフロー管１０９が一本で済むので、部材費を節減することができるとともに、加工や組立ての工数も低減することができる。
【０００７】
【特許文献１】実公昭６０−１９６７２号公報
【発明の開示】
【発明が解決しようとする課題】
【０００８】
しかしながら、この二槽式浴槽であっても、図６に示すように、例えば、汚物洗い用の槽１０２側の通水部１０７から大量の溢れ水が勢いよくオーバーフロー孔１０５側へ流入すると、オーバーフロー孔１０５を越えて、体洗い用の槽１０１側の通水部１０８から溢れ水が流出する可能性が残る。
【０００９】
この問題を解決するには、各々の槽の通水部を離間する必要があるが、そうすると、仕切り壁の幅Ｗが大きくなり、各槽の大きさが小さくなる、または浴槽全体が大きくなるという不都合が生じる。
【００１０】
本発明は、上述した事情を考慮してなされたもので、二槽式の浴槽でありながらオーバーフローロが１つで済み、且つ汚物洗い用の槽の湯水が体洗い用の槽に流入することがない浴槽を提供することを目的とするものである。
【００１１】
本発明の他の目的は、二槽間の仕切り壁の横幅を狭くできる浴槽を提供することにある。
【課題を解決するための手段】
【００１２】
本発明に係る浴槽は、上述した課題を解決するために、請求項１に記載したように、浴槽の内槽を仕切るように配置される仕切り壁と、該仕切り壁の一方側に配置される第一槽と、上記仕切り壁の他方側に配置される第二槽と、上記第一槽と第二槽とを連通する連通流路と、上記第二槽に、上記連通流路より下方側に配置されたオーバーフロー口とを備えるものである。
【００１３】
ここで、前記連通流路は、好適には、請求項２に記載したように、前記仕切り壁に形成されていることが望ましく、前記オーバーフロー口は、好適には、請求項３に記載したように、前記仕切り壁に形成されていることが望ましい。
【発明の効果】
【００１４】
本発明に係る浴槽によれば、二槽式の浴槽でありながらオーバーフローロが１つで済み、且つ汚物洗い用の槽の湯水が体洗い用の槽に流入することがないという効果が得られる。
【００１５】
また、本発明は、二槽間の仕切り壁の横幅を狭くできる効果が得られる。
【発明を実施するための最良の形態】
【００１６】
本発明に係る浴槽の実施の形態について、図１〜４を参照して説明する。浴槽１は、保育園等において幼児の入浴に用いられる二槽式の浴槽である。仕切り壁４により仕切られた二槽中、容積の大きい第一槽２は幼児の体洗い及び沐浴用として、容積の小さい第二槽３は汚物洗い用として、分けて使用される。仕切り壁４の一端には、第一槽２と第二槽３とを連通する連通流路２１が凹設される。また、第一槽２内には、足掛け用のステップ９が設けられている。
【００１７】
この浴槽１は、その前面及び両側面において、上周縁部のリム５を介してエプロン６が垂設される一方、その背面において、リム５から上方へ立ち上がる立上り部７が立設される。そして、この立上り部７には、その略全長に亘る長さを有する手摺り８が取り付けられる。これにより、背後の壁面に別途手摺を取り付ける必要がなくなる。なお、浴槽１の各槽２，３の下方の空間Ｓは、キャビネットとして利用される。
【００１８】
図２に示すように、給水管１０から供給される水及び給湯管１１から供給される湯は、仕切り壁４上面に取り付けられた温度調節レバー１２によって所望の温度の湯水となって、同じく仕切り壁４上面に取り付けられたスパウト１３へと送られる。
【００１９】
スパウト１３は、水平方向に回動可能とされ、第一槽２及び第二槽３に直接給水できるとともに、仕切り壁４から引き出してシャワーとしても利用することができる。シャワーのホース１４は、シャワーとして使用していない場合は、仕切り壁４内に収容される。なお、スパウト１３の吐水／止水の切り替えは、スパウト１３先端に設けられた吐水／止水切替機構１３ａにより行われる。
【００２０】
次に、排水については、図３に示すように、第一槽２の排水口１５には第一排水管１７が、第二槽３の排水口１６には第二排水管１８が、それぞれ接続される。また、第二槽３の仕切り壁４には、オーバーフロー口２０が設けられ、このオーバーフロー口２０にはオーバーフロー排水管１９の一端が接続され、オーバーフロー排水管１９の他端は、第二排水管１８に接続される。なお、オーバーフロー口２０は、その上端が連通流路２１の底部よりも低くなるように配置される。
【００２１】
本実施の形態に係る浴槽１は上記のように構成されており、以下各槽２，３からのオーバーフロー水の処理について説明する。
【００２２】
まず、第一槽２でオーバーフローした水は、連通流路２１を経由して第二槽３に流れ込み、第二槽３の排水口１６が開放している場合は、この排水口１６から第二排水管１８を通じ槽外に排出される。
【００２３】
他方、第二槽３の排水口１６が閉じている場合は、第二槽の水位が上昇し、終には連通流路２１より下面に配置されたオーバーフロー口２０からオーバーフロー排水管１９を経由して槽外に排出される。これにより、第一槽２から第二槽３に流れ出た水は、再び第一槽２に戻ることなく槽外に排出される。
【００２４】
逆に、第二槽３のオーバーフロー水は、連通流路２１より下面に配置されたオーバーフロー口２０からオーバーフロー排水管１９を経由して槽外に排出されるので、第二槽３の汚水が第一槽２へ浸入することは阻止される。
【００２５】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００２６】
【図１】本発明に係る浴槽の一実施形態を示す平面図。
【図２】図１に示されたＡ−Ａ矢視図であり、給水管を示す図。
【図３】図１に示されたＡ−Ａ矢視図であり、排水管を示す図。
【図４】図１に示されたＢ−Ｂ矢視図。
【図５】従来の二槽式浴槽の一例を示す平面図。
【図６】図５に示されたＣ−Ｃ矢視図。
【図７】図５に示されたＤ−Ｄ矢視図。
【符号の説明】
【００２７】
１  浴槽
２  第一槽
３  第二槽
４  仕切り壁
５  リム
６  エプロン
７  立上り部
８  手摺り
９  ステップ
１０  給水管
１１  給湯管
１２  温度調節レバー
１３  スパウト
１３ａ  吐水／止水切替機構
１４  ホース
１５，１６  排水口
１７  第一排水管
１８  第二排水管
１９  オーバーフロー排水管
２０  オーバーフロー口
２１  連通流路
Ｓ  空間
【図１】
2009072533.tif 000003
【図２】
2009072533.tif 000004
【図３】
2009072533.tif 000005
【図４】
2009072533.tif 000006
【図５】
2009072533.tif 000007
【図６】
2009072533.tif 000008
【図７】
2009072533.tif 000009